(57)【要約】【課題】  生体に接触させるプローブ相互の相対的な位置関係を変更することができるプローブホルダ及び光生体計測装置を提供する。【解決手段】  プローブホルダ５は、測定対象に装着される複数枚の固定プレート２１と、光照射用プローブ２を固定プレート２１に取り付けるためのソケット２２と、光検出用プローブ３を固定プレート２１に取り付けるための複数のソケット２３とを備えている。ソケット２２は、各固定プレート２１を揺動自在に連結する支軸部を構成するように、固定プレート２１における貫通孔２４の位置に着脱自在に取り付けられている。これにより、各固定プレート２１は、ソケット２２を支点として扇状に開くようになる。また、各ソケット２３は、各固定プレート２１における貫通孔２５の位置に着脱自在に取り付けられている。【選択図】  図２
2005245626.tif 000002
【特許請求の範囲】
【請求項１】
生体の内部を光計測する際に前記生体の計測部位に接触させる複数のプローブを保持するためのプローブホルダにおいて、
前記生体に装着される複数の固定プレートと、
前記プローブを前記固定プレートに取り付けるための複数のソケットとを備え、
前記複数のソケットのうちいずれか１つは、前記複数の固定プレートを揺動自在に連結する支軸部を構成していることを特徴とするプローブホルダ。
【請求項２】
前記ソケットは、前記プローブを挿通させるソケット本体と、前記ソケット本体を前記固定プレートに着脱自在に固定する手段と、前記ソケット本体を挿通した前記プローブを前記ソケット本体に固定する手段とを有することを特徴とする請求項１記載のプローブホルダ。
【請求項３】
前記固定プレートには、前記プローブを貫通させる複数の貫通孔が前記支軸部を構成するソケットに対して近接・離間する方向に並んで設けられていることを特徴とする請求項２記載のプローブホルダ。
【請求項４】
前記固定プレートには、前記プローブを貫通させるスリットが前記支軸部を構成するソケットに対して近接・離間する方向に延在するように設けられていることを特徴とする請求項２記載のプローブホルダ。
【請求項５】
生体の計測部位に接触させる光照射用プローブ及び光検出用プローブと、前記光照射用プローブ及び前記光検出用プローブを保持するためのプローブホルダとを具備し、前記生体の内部を光計測する光生体計測装置において、
前記プローブホルダは、前記生体に装着される複数の固定プレートと、前記光照射用プローブ及び前記光検出用プローブを前記固定プレートに取り付けるための複数のソケットとを備え、
前記複数のソケットのうちいずれか１つは、前記複数の固定プレートを揺動自在に連結する支軸部を構成していることを特徴とする光生体計測装置。
【発明の詳細な説明】
【技術分野】
【０００１】
本発明は、生体の内部を光計測する際に使用されるプローブホルダ及び光生体計測装置に関するものである。
【背景技術】
【０００２】
近年、近赤外分光法等による脳機能計測や感覚計測等が盛んに行われている。この測定法は、近赤外光等の光を生体に照射し、生体内を透過した光の強度を検出し、その検出結果から生体内の情報を得るものである。このような生体の内部を光計測する生体光計測装置としては、例えば特許文献１に記載されているように、頭部に装着される支持部材に複数のソケットを取り付け、これらのソケットに、生体に接触させる照射用光ファイバ及び検出用光ファイバを固定させたものが知られている。
【特許文献１】特開２００２−３５５２４６号公報
【発明の開示】
【発明が解決しようとする課題】
【０００３】
しかしながら、上記従来技術においては、ソケット相互の位置関係が固定されているので、支持部材において照射用光ファイバ（照射用プローブ）と検出用光ファイバ（検出用プローブ）との位置関係が固定されてしまう。このため、測定目的や測定対象等に応じて、支持部材を作製し交換する必要があった。特に多点計測を行う場合には、プローブの数が多くなるため、様々な支持部材を作製するのは煩雑であり、コストアップにもつながる。
【０００４】
本発明の目的は、生体に接触させるプローブ相互の相対的な位置関係を変更することができるプローブホルダ及び光生体計測装置を提供することである。
【課題を解決するための手段】
【０００５】
本発明は、生体の内部を光計測する際に生体の計測部位に接触させる複数のプローブを保持するためのプローブホルダにおいて、生体に装着される複数の固定プレートと、プローブを固定プレートに取り付けるための複数のソケットとを備え、複数のソケットのうちいずれか１つは、複数の固定プレートを揺動自在に連結する支軸部を構成していることを特徴とするものである。
【０００６】
このようなプローブホルダを用いて、生体の内部を光計測する場合は、支軸部を介して互いに揺動自在に連結された複数の固定プレートを生体に装着すると共に、生体の計測部位に接触させる複数のプローブを、各固定プレートに固定されたソケットにそれぞれ取り付ける。なお、複数のプローブのうちいずれか１つは、支軸部を構成するソケットに取り付ける。ここで、支軸部を中心として、固定プレートを他の固定プレートに対して揺動させることで、各固定プレートの開き角度を変えると、各ソケットの位置関係が変わるようになる。これにより、プローブホルダ上において、プローブ相互の相対的な位置関係を容易に変更することができる。
【０００７】
好ましくは、ソケットは、プローブを挿通させるソケット本体と、ソケット本体を固定プレートに着脱自在に固定する手段と、ソケット本体を挿通したプローブをソケット本体に固定する手段とを有する。このようにソケットを固定プレートに対して着脱自在とすることにより、光計測に使用しない固定プレートを他の固定プレートに重ねた状態で、ソケットを固定プレートに固定することができる。従って、複数の固定プレートを生体に装着する際に、光計測に使用しない固定プレートが装着の妨げになることは殆ど無い。
【０００８】
このとき、好ましくは、固定プレートには、プローブを貫通させる複数の貫通孔が支軸部を構成するソケットに対して近接・離間する方向に並んで設けられている。この場合には、プローブを貫通させる貫通孔を変えることにより、支軸部を構成するソケットに固定されたプローブと他のソケットに固定されたプローブとの距離を変更することができる。
【０００９】
また、固定プレートには、プローブを貫通させるスリットが支軸部を構成するソケットに対して近接・離間する方向に延在するように設けられていてもよい。この場合には、プローブをスリットの延在方向に沿ってずらすことにより、支軸部を構成するソケットに固定されたプローブと他のソケットに固定されたプローブとの距離を変更することができる。
【００１０】
また、本発明は、生体の計測部位に接触させる光照射用プローブ及び光検出用プローブと、光照射用プローブ及び光検出用プローブを保持するためのプローブホルダとを具備し、生体の内部を光計測する光生体計測装置において、プローブホルダは、生体に装着される複数の固定プレートと、光照射用プローブ及び光検出用プローブを固定プレートに取り付けるための複数のソケットとを備え、複数のソケットのうちいずれか１つは、複数の固定プレートを揺動自在に連結する支軸部を構成していることを特徴とするものである。
【００１１】
このような光生体計測装置により生体の内部を光計測する場合は、支軸部を介して互いに揺動自在に連結された複数の固定プレートを生体に装着すると共に、生体の計測部位に接触させる光照射用プローブ及び光検出用プローブを、各固定プレートに固定されたソケットにそれぞれ取り付ける。例えば、支軸部を構成するソケットに光照射用プローブを取り付け、他のソケットに光検出用プローブを取り付ける。ここで、支軸部を中心として、固定プレートを他の固定プレートに対して揺動させることで、各固定プレートの開き角度を変えると、各ソケットの位置関係が変わるようになる。これにより、プローブホルダ上において、光照射用プローブと光検出用プローブとの相対的な位置関係を容易に変更することができる。
【発明の効果】
【００１２】
本発明によれば、生体に接触させるプローブ相互の相対的な位置関係を変更することができる。これにより、測定目的や測定対象等に応じて固定プレートを作製・交換しなくて済むため、測定準備における煩雑さを軽減できると共に、コスト削減が図れる。
【発明を実施するための最良の形態】
【００１３】
以下、本発明に係わるプローブホルダ及び光生体計測装置の好適な実施形態について、図面を参照して詳細に説明する。
【００１４】
図１は、本発明に係わるプローブホルダの一実施形態を備えた光生体計測装置を示すブロック図である。光生体計測装置１は、例えば人体の測定対象（ここでは頭部）に近赤外光を照射し、頭部内を透過した光の強度を検出することにより、酸素化ヘモグロビン及び脱酸素化ヘモグロビン等の濃度情報を計測するものである。
【００１５】
図１において、光生体計測装置１は、測定対象に光を照射するための光照射用プローブ２と、測定対象内を伝搬した光を検出するための複数本（ここでは４本）の光検出用プローブ３と、これらのプローブ２，３と接続された装置本体部４と、測定対象の計測部位においてプローブ２，３を保持するためのプローブホルダ５とを備えている。
【００１６】
プローブ２，３は、光ファイバ６と、この光ファイバ６の先端側の所定部位を覆う円筒状をもったプローブヘッド７とを有している。光ファイバ６（プローブ２，３）の先端部はプローブヘッド７から突出しており、光計測時には光ファイバ６の先端を測定対象の計測部位に接触させる。プローブヘッド７内には、光ファイバ６をその先端側に付勢するバネ（図示せず）が設けられている。
【００１７】
プローブ２，３は、光コネクタ１０を介して装置本体部４と接続されている。装置本体部４は、発光素子１１と、この発光素子１１を駆動するドライバ１２とを有している。発光素子１１で発生した光は、光照射用プローブ２の光ファイバ６に入射される。
【００１８】
また、装置本体部４は、各光検出用プローブ３の光ファイバ６から出射された光を受光する複数の受光素子１３と、各受光素子１３の出力電気信号を増幅する複数の増幅器１４と、各増幅器１４の出力信号を同時にホールドするサンプルホールド回路１５と、このサンプルホールド回路１５の出力信号をデジタル信号に変換するＡ／Ｄ変換回路１６とを有している。
【００１９】
さらに、装置本体部４は、ＣＰＵ１７と、表示部１８と、データ出力部１９とを有している。なお、Ａ／Ｄ変換回路１６、ＣＰＵ１７、表示部１８、データ出力部１９は、データバスＤを介して相互に接続されている。ＣＰＵ１７は、発光素子１１を駆動するための制御信号をドライバ１２に送出する機能や、Ａ／Ｄ変換回路１６の出力信号（光検出信号）に基づいて測定対象内の濃度情報を演算し、その演算結果を表示部１８及びデータ出力部１９に送出する機能等を有している。表示部１８は、ＣＰＵ１７から送られた濃度情報に関する演算結果を表示する。データ出力部１９は、ＣＰＵ１７から送られた濃度情報に関する演算結果を光生体計測装置１の外部に送出する。
【００２０】
図２は、プローブホルダ５の詳細を示す平面図である。また、図３はプローブホルダ５の斜視図であり、図４はプローブホルダ５の断面図である。各図において、プローブホルダ５は、測定対象（頭部）２０に装着される４枚の略長方形状の固定プレート２１と、光照射用プローブ２を固定プレート２１に取り付けるためのソケット２２と、光検出用プローブ３を固定プレート２１に取り付けるための４つのソケット２３とを備えている。なお、図３及び図４では、簡略化のため固定プレート２１を２枚のみ示し、これに対応してソケット２３を２つのみ示してある。
【００２１】
各固定プレート２１は、測定対象２０の形状に沿うように湾曲している。各固定プレート２１の材料としては、形状記憶金属、形状記憶樹脂、熱可塑性材料等が用いられる。固定プレート２１の材料を形状記憶金属とした場合には、固定プレート２１を薄くしても必要な強度が確保され、複数の固定プレート２１を組み合わせても厚みを抑えることができる。固定プレート２１の材料を形状記憶樹脂とした場合には、優れた柔軟性が確保されるため、固定プレート２１を測定対象２０に沿って容易に湾曲させることができる。
【００２２】
各固定プレート２１の一端側には、光照射用プローブ２を貫通させる貫通孔２４が形成され、各固定プレート２１の他端側には、光検出用プローブ３を貫通させる貫通孔２５が形成されている。なお、図２では、貫通孔２４から貫通孔２５までの距離は、各固定プレート２１において同距離としているが、特にこの限りではない。また、各固定プレート２１の両端部には、装着ベルト２６（図７参照）によりプローブホルダ５を測定対象２０に装着する時に装着ベルト２６を通すためのベルト取り付け穴２７が設けられている。
【００２３】
なお、固定プレート２１に装着ベルト２６を取り付ける構造としては、ベルト取り付け穴２７の他に、例えば固定プレート２１の両端部にフック受けを設け、装着ベルト２６に設けたフックをフック受けに留めるようにしてもよい。
【００２４】
ソケット２２は、各固定プレート２１を揺動自在に連結する支軸部を構成するように、固定プレート２１における貫通孔２４の位置に着脱自在に取り付けられている。これにより、各固定プレート２１は、ソケット２２を支点として扇状に開くようになる。また、各ソケット２３は、各固定プレート２１における貫通孔２５の位置に着脱自在に取り付けられている。これらのソケット２２，２３は、ポリアセタール樹脂（商品名：ジュラコン、デルリン）といった樹脂等で形成されている。なお、ソケット２２，２３は、樹脂を黒色に着色することで遮光性を持たせるのが好ましい。
【００２５】
ソケット２２は、図４及び図５に示すように、ソケット本体２８、固定用ナット２９、保持部材３０、キャップ３１といった４つの部品からなっている。
【００２６】
ソケット本体２８は、光照射用プローブ２のプローブヘッド７を挿通させる円筒状を有する部材である。ソケット本体２８の一端部には、フランジ部３２が設けられている。ソケット本体２８の先端部（フランジ部３２の反対側の端部）におけるソケット本体２８の内周面には、ソケット本体２８の先端側に対して拡がるようなテーパ部３３が形成されている。ソケット本体２８の外周面には、雄ネジ部３４が形成されている。この雄ネジ部３４は、ソケット本体２８の先端からフランジ部３２の近傍まで延びている。
【００２７】
ソケット本体２８の基端面には、スポンジ等の緩衝部材３５が貼り付けられている。この緩衝部材３５は、ソケット２２が固定された固定プレート２１を測定対象２０に装着したときに、ソケット２２の当たりを和らげると共に測定対象２０に対する密着性を高めるものである。なお、測定対象２０に接触させる緩衝部材３５は、固定プレート２１に貼り付けてもよい。また、緩衝部材３５は、例えば黒色に着色した材料を用いて遮光性を持たせるのが好ましい。
【００２８】
ソケット本体２８は、固定用ナット２９により固定プレート２１に固定されている。具体的には、図６に示すように、各固定プレート２１の貫通穴２４の位置が合うように各固定プレート２１の一端部を重ねた状態で、ソケット本体２８を貫通孔２４に通し、固定用ナット２９をソケット本体２８の雄ネジ部３４に嵌めて締め込むことにより、各固定プレート２１の一端部をフランジ部３２に対して押し付ける。
【００２９】
保持部材３０は、ソケット本体２８上に載置される。保持部材３０は、光照射用プローブ２のプローブヘッド７を挿通させる環状部３６と、この環状部３６と一体化され、プローブヘッド７を把持するための複数の把持爪３７とを有している。各把持爪３７には、ソケット本体２８のテーパ部３３と係合するテーパ面３８が設けられている。
【００３０】
キャップ３１は、保持部材３０の各把持爪３７がプローブヘッド７を保持するように保持部材３０をソケット本体２８に対して締め付けるための円筒状を有する部材である。キャップ３１には、プローブヘッド７を保持する時に保持部材３０の環状部３６を受けるための保持受け面３９が設けられている。キャップ３１の内周面には、ソケット本体２８の雄ネジ部３４と螺合する雌ネジ部４０が形成されている。
【００３１】
光照射用プローブ２のプローブヘッド７をソケット本体２８に挿入した状態で、キャップ３１をソケット本体２８の雄ネジ部３４に嵌めて回転させていくと、保持部材３０の上端がキャップ３１の保持受け面３９に当たるようになる。そして、キャップ３１を更に回転させると、保持部材３０がソケット本体２８に対して締め付けられるため、保持部材３０の各把持爪３７がソケット本体２８のテーパ部３３に沿って弾性変形して、プローブヘッド７側に押圧される。これにより、各把持爪３７がプローブヘッド７に十分に密着するようになるため、プローブヘッド７が各把持爪３７によって保持・固定される。
【００３２】
ソケット２３は、上記のソケット２２と全く同様の構造を有している。ソケット２３のソケット本体２８を固定プレート２１に固定するときは、ソケット本体２８を固定プレート２１の貫通孔２５に通した状態で、固定用ナット２９によりソケット本体２８を固定プレート２１に対して締め付ける。
【００３３】
このようなソケット２２，２３によりプローブ２，３のプローブヘッド７を固定することにより、プローブヘッド７を側方からネジ止めする場合のようにスペース上の制約を殆ど受けることなく、プローブヘッド７を容易に且つ短時間で保持することができる。従って、被測定者に与えるストレスを軽減することが可能となる。
【００３４】
なお、プローブ２，３を保持する保持部材としては、上記のように環状部３６と複数の把持爪３７とを有する保持部材３０には特に限定されない。例えば、複数の把持爪３７の代わりに、プローブ２，３を把持する環状の把持部を有するものとしても良い。この場合には、把持部の材料を、例えばシリコーンゴム、フッ素ゴム、ネオプレンゴム、ウレタンゴムといった弾性体とする。また、保持部材として上記弾性体からなるＯリングを用いてもよい。この場合、Ｏリングは黒色に着色遮光されるのが好ましい。
【００３５】
次に、以上のように構成したプローブホルダ５を用いて、光照射用プローブ２及び光検出用プローブ３を測定対象である頭部に装着する手順について説明する。
【００３６】
ここで、ソケット２２，２３のソケット本体２８は、予め固定用ナット２９により固定プレート２１に固定されている。例えば、ソケット２２の固定用ナット２９は、更に締め付け可能となるようにソケット本体２８に対して弛めた状態にされており、各ソケット２３の固定用ナット２９は、ソケット本体２８に対してきつく締め付けられている。また、ソケット２２，２３のキャップ３１は、ソケット本体１８上に載置された保持部材３０を覆うように、上から被せられてソケット本体２８の雄ネジ部３４に嵌められている。キャップ３１は、更に締め付け可能となるようにソケット本体２８に対して弛めた状態にされている。
【００３７】
まず、１枚の固定プレート２１に対して他の固定プレート２１を、ソケット２２を中心にして揺動させることで、各固定プレート２１の開き角度を所望の角度に設定する。そして、その開き角度を保持するように、ソケット２２のソケット本体２８を固定用ナット２９により各固定プレート２１に対してきつく締め付ける。
【００３８】
続いて、各固定プレート２１のベルト取り付け穴２７に装着ベルト２６を通して、各固定プレート２１に装着ベルト２６を取り付ける。そして、図７（ａ）に示すように、装着ベルト２６により各固定プレート２１（プローブホルダ５）を頭部に装着する。このとき、図７（ａ）で示されている左側頭部だけでなく、右側頭部にも同じプローブホルダ５が装着されている。そして、これらのプローブホルダ５同士は装着ベルト２６でつながっている。なお、装着ベルト２６は、長さ調節ができるようになっている。また、複数の装着ベルト２６の一部は、その支点が顎関節の支点にほぼ一致するように装着されている。これにより、顎の動きがプローブホルダ５に伝わりにくくなるので、プローブホルダ５が顎の動きによってずれることを防止できる。
【００３９】
続いて、図７（ｂ）に示すように、プローブホルダ５の上からメッシュ４１を被せ、プローブホルダ５が動かないようにする。メッシュ４１は、例えばフック４２で装着ベルト２６に取り付けられる。メッシュ４１としては、素材自体の伸縮ではなく、測定対象の曲率に応じて格子部分の開き度合いが変わる等、格子形状の変形により頭部の曲面に対応してプローブホルダ５を押さえるものが望ましい。このとき、プローブホルダ５のあおりを無くすために、メッシュ４１には、ある程度の剛性が必要となる。このようなメッシュ４１を用いることにより、被装着者の頭部が強く締め付けられることなく、プローブホルダ５を十分に固定することができる。
【００４０】
このようなメッシュ４１の一例としてエキスパンドメッシュを図８に示す。エキスパンドメッシュ４１は、図８（ａ）に示すように、金属や可塑性樹脂等で形成された薄板４３に多数の切れ込み４４を入れたものである。薄板４３を両側から引っ張ると、図８（ｂ）に示すように、切れ込み４４が広がってメッシュとなる。なお、そのようなエキスパンドメッシュ以外にも、フェンス金網状のメッシュ等を使用してもよい。
【００４１】
なお、図７（ｂ）に示したものでは、プローブホルダ５に装着ベルト２６を取り付けたが、プローブホルダ５は頭部に置くだけとし、ベルトの付いたメッシュでプローブホルダ５を押さえてもよい。
【００４２】
図７（ｂ）で示すメッシュ４１は、頭頂部より左右顎関節近傍まで下垂するラインに位置するベルト２６ａと、後頭突起下部を通して左右顎関節近傍まで取り回されるラインに位置するベルト２６ｂとで頭部に配設される。そして、２つのベルト２６ａ，２６ｂは、顎関節近傍で接続される。ベルト２６ａ，２６ｂは、伸縮の少ないものを用いるのが好ましい。さらに、ベルト２６ａ，２６ｂの接続部Ｘより顎までのラインに位置するベルト２６ｃとして伸縮性を有するものを用い、接続部Ｘを顎関節上またはその近傍に位置させると、多少の顎の動きもメッシュ４１の装着安定性に影響せず、また顎も動かせるため、被験者への窮屈感の軽減も図れる。
【００４３】
次いで、図７（ｃ）に示すように、光照射用プローブ２のプローブヘッド７をソケット２２に挿入し、光検出用プローブ３のプローブヘッド７をソケット２３に挿入する。そして、プローブ２，３の先端が頭部の地肌に密着するようにプローブヘッド７を少し押し付け気味にしながら、キャップ３１をソケット本体２８に対して締めることにより、プローブヘッド７を保持・固定する。
【００４４】
以上のように本実施形態にあっては、プローブホルダ５を複数枚の固定プレート２１とソケット２２，２３とで構成し、ソケット２２が各固定プレート２１を揺動自在に連結する支軸部を構成するようにしたので、ソケット２２を中心として各固定プレート２１を動かすことで、ソケット２２と各ソケット２３との位置関係を調整することができる。これにより、プローブホルダ５において光照射用プローブ２と各光検出用プローブ３との位置関係を容易に調整することが可能となる。このため、測定目的や測定対象等に応じて、その都度プローブホルダを交換しなくて済むので、ソケットの固定位置の異なる数種類のプローブホルダを予め製作しておく必要が無い。従って、特に多点計測において、測定準備における煩雑さを軽減できるばかりでなく、コスト的にも有利となる。
【００４５】
また、ソケット２２，２３は固定プレート２１に対して着脱自在であるため、プローブホルダ５を測定対象に装着する際に、使用に供さない固定プレート２１及びソケット２３が装着の妨げになることは無い。つまり、光検出用プローブ３が保持されない固定プレート２１がある場合には、当該固定プレート２１からソケット２３を取り外し、この固定プレート２１を他の固定プレート２１に重ねることで、プローブホルダ５の装着時に、不要なソケット２３な邪魔になって計測準備が行いにくくなることを回避できる。
【００４６】
図９は、本発明に係わるプローブホルダの他の実施形態を示す平面図である。図中、上述した実施形態と同一または同等の部材には同じ符号を付し、その説明を省略する。
【００４７】
各図において、本実施形態のプローブホルダ５０は、上述した実施形態における固定プレート２１に代えて、固定プレート５１を備えている。各固定プレート５１には、光検出用プローブ３を貫通させる複数の貫通孔２５が固定プレート５１の長手方向（ソケット２２に対して近接・離間する方向）に並んで形成されている。
【００４８】
各固定プレート５１の貫通孔２５は、プローブホルダ５０を扇状に開いたときに、例えば貫通孔２４の中心を中心軸とした同心円状に位置するように、長手方向に複数設けられることが好ましい。このような構成にすれば、多点計測において、光照射用プローブ２と光検出用プローブ３との距離を一定に保つことができる。また、光計測に使用しない固定プレート５１を他の固定プレート５１に重ねた状態で、ソケット２３を固定プレート５１に固定することが出来るので、光計測に使用しない固定プレート５１がプローブホルダ５０の装着の妨げになることは無い。
【００４９】
このようなプローブホルダ５０では、ソケット２３のソケット本体２８（図９では不図示）を貫通させる貫通孔２５を変えて、固定プレート５１に対するソケット２３の取付位置を変更することで、光照射用プローブ２と光検出用プローブ３との距離を容易に調整することができる。これにより、プローブ２，３間の距離を変更するたびに、プローブホルダを交換する必要もない。
【００５０】
図１０は、本発明に係わるプローブホルダの更に他の実施形態を示す平面図である。図中、上述した実施形態と同一または同等の部材には同じ符号を付し、その説明を省略する。
【００５１】
各図において、本実施形態のプローブホルダ６０は、図９に示す固定プレート５１に代えて、固定プレート６１を備えている。各固定プレート６１には、光検出用プローブ３を貫通させるスリット状の貫通孔６２が形成されている。この貫通孔６２は、固定プレート６１の長手方向（ソケット２２に対して近接・離間する方向）に延在している。
【００５２】
このようなプローブホルダ６０では、固定プレート６１に対するソケット２３の取付位置を貫通孔６２の延在方向に沿って変更することで、光照射用プローブ２と光検出用プローブ３との距離を容易に調整することができる。
【００５３】
なお、本発明は、上記実施形態に限定されるものではない。例えば、上記実施形態のプローブホルダは、複数の固定プレートを扇状に形成するようにソケット（支軸部）２２により揺動自在に連結したものであるが、図１１に示すように複数の固定プレートをクロス状に形成するように揺動自在に連結した構成であってもよい。同図に示すプローブホルダ７０では、光照射用プローブ２を貫通させる貫通孔２４が固定プレート７１の中心部に設けられ、光検出用プローブ３を貫通させる貫通孔２５が固定プレート７１の両端側に設けられている。なお、光検出用プローブ３を貫通させる貫通孔を、図９に示すように複数設けたり、図１０に示すようなスリット状にしても良いことは言うまでもない。
【００５４】
また、１つのプローブホルダが保持する光照射用プローブ２及び光検出用プローブ３の本数は、上記実施形態には限られず、種々変形可能である。
【図面の簡単な説明】
【００５５】
【図１】本発明に係わるプローブホルダの一実施形態を備えた光生体計測装置を示すブロック図である。
【図２】図１に示すプローブホルダの詳細を示す平面図である。
【図３】図２に示すプローブホルダの斜視図である。
【図４】図２に示すプローブホルダの断面図である。
【図５】図４に示すソケットの分解断面図である。
【図６】図５に示すソケットにプローブが固定された状態を示す断面図である。
【図７】図２に示すプローブホルダを測定対象に装着する手順を示す図である。
【図８】図７に示すメッシュの一例としてエキスパンドメッシュを示す図である。
【図９】本発明に係わるプローブホルダの他の実施形態を示す平面図である。
【図１０】本発明に係わるプローブホルダの更に他の実施形態を示す平面図である。
【図１１】本発明に係わるプローブホルダの更に他の実施形態を示す平面図である。
【符号の説明】
【００５６】
１…光生体計測装置、２…光照射用プローブ、３…光検出用プローブ、５…プローブホルダ、７…プローブヘッド、２０…測定対象（生体）、２１…固定プレート、２２…ソケット（支軸部）、２３…ソケット、２４…貫通孔、２５…貫通孔、２８…ソケット本体、２９…固定用ナット、３０…保持部材、３１…キャップ、５０…プローブホルダ、５１…固定プレート、６０…プローブホルダ、６１…固定プレート、６２…貫通孔（スリット）、７０…プローブホルダ、７１…固定プレート。
【図１】
2005245626.tif 000003
【図２】
2005245626.tif 000004
【図３】
2005245626.tif 000005
【図４】
2005245626.tif 000006
【図５】
2005245626.tif 000007
【図６】
2005245626.tif 000008
【図７】
2005245626.tif 000009
【図８】
2005245626.tif 000010
【図９】
2005245626.tif 000011
【図１０】
2005245626.tif 000012
【図１１】
2005245626.tif 000013